(57)【特許請求の範囲】
【請求項１】
主軸台のチャックによって把持した工作物を回転させる工作物回転装置と、工具の割出しが可能なタレット装置と、前記主軸台または前記タレット装置を前記主軸台の回転軸と平行なＺ軸方向およびＺ軸方向に直交するＸ軸方向に移動させる駆動装置と、前記工作物回転装置、前記タレット装置および前記駆動装置を制御する制御装置とを有する工作機械であって、
前記タレット装置は、加工個所に冷却液を供給するための流路が形成された工具台と、前記工具台をＸ軸方向に平行な回転軸の回転およびＸ軸方向に沿った移動を可能にした割出し機構とをもって構成され、
前記回転軸の中空部に検出用ロッドが挿入され、前記検出用ロッドの一端部側が前記工具台の加工側表面部に固定され、前記検出用ロッドの他端部側が前記加工側表面部の反対側である非加工側に突き出し、前記非加工側には前記検出用ロッドのＸ軸方向の変位を検出する変位センサが設けられたものであることを特徴とする工作機械。
【請求項２】
前記検出用ロッドはセラミックスで形成されたものでることを特徴とする請求項１に記載の工作機械。
【請求項３】
前記検出用ロッドは、前記非加工側に突き出した突出部に被検出体が固定され、その被検出体が前記変位センサによって検出されるものであることを特徴とする請求項１又は請求項２に記載の工作機械。
【請求項４】
前記変位センサは、前記工具台の熱膨張によって生じる前記検出用ロッドのＸ軸方向の変位と、前記割出し機構による前記工具台の移動によって生じる前記検出用ロッドのＸ軸方向の変位とを検出するものであることを特徴とする請求項１乃至請求項３のいずれかに記載の工作機械。
【発明の詳細な説明】
【技術分野】
【０００１】
本発明は、タレットに生じる熱変形に対応した補正制御が可能な工作機械に関する。
【背景技術】
【０００２】
工作機械では、ミクロン単位でワークの加工制御が行われるため、加工中に生じる熱変形の影響を如何にコントロールするかが課題である。例えば下記特許文献１には、主軸中心と工具刃先との距離を測定してフィードバック制御する工作機械が開示されている。この工作機械は、工具を保持したタレットの位置が固定され、主軸台の位置が２軸制御されるＮＣ旋盤である。そして、タレットの主軸側端面と主軸中心との距離を測定する構成がとられている。具体的には、基準となるフレームから主軸台とタレットに対してそれぞれＸ軸方向にスケールが延び、送り台やタレットに固定されたセンサによってフレームからの距離が測定され、その差によって主軸中心と工具刃先との距離が求められる。【０００３】
また、熱変形に対する他の工作機械としては、クーラントを考慮したしたものが下記特許文献２に開示されている。クーラントは、加工熱を冷やしたり切り屑を加工個所や機械から流し出すための冷却液である。しかし、そのクーラントは、タンクに回収されて繰り返し使用されるため、次第に温度が上昇して工作機械に影響を与えてしまう。つまりクーラントの温度上昇が工作機械を熱変形させ、加工工具とワークとの相対的な位置を当初の位置からずらせてしまい、それにより加工精度が低下してしまう。そのため、下記特許文献２には、ヒートシンクを使用してクーラントの温度上昇を抑えるクーラント濾過装置についての技術が開示されている。
【先行技術文献】
【特許文献】
【０００４】
【特許文献１】特開２０１３−２５５９８２号公報
【特許文献２】特開２０１２−１６６３１２号公報
【発明の概要】
【発明が解決しようとする課題】
【０００５】
ところで、工作機械による熱変形は様々な要因があり、工作機械の構造により発熱箇所にも違いがあり、また工作機械の使用方法や使用環境などによっても異なっている。そのため、加工精度の低下が熱変形を原因としていたとしても、その熱変形がどこに生じているのかを正確に把握することが困難であった。そして、熱変形の個所が分からなければ正確な測定ができないため適切な補正制御もできない。そこで特許文献１では、加工工具とワークとの相対的な位置の変位を測定するようにして、熱変形が生じている箇所を特定して計測する構成にはなっていない。ただし、こうした測定方法が可能なのは、測定対象物同士が測定方向（Ｘ軸方向）にしか移動しない構造だからである。【０００６】
従って、例えばタレットが２軸方向に移動する構造の工作機械では、工具の位置を直接検出するセンサを設け、ワークを一つ加工する毎に工具をセンサに当て、基準位置とのズレを算出するような方法をとらなければならない。しかし、それでは工具の位置確認に時間を要してしまいサイクルタイムが伸びてしまうことになる。一方、特許文献２は、クーラントに関する熱変形を抑えて工具の位置を安定させようとするものである。しかし、特許文献２の方法では、特別なクーラント濾過装置を必要とし、しかもクーラントの温度管理制御まで行わなければならず、その点でコスト高になってしまう。【０００７】
そこで、本発明は、かかる課題を解決すべく、工具を変位させる箇所の熱変形を検出する工作機械を提供することを目的とする。
【課題を解決するための手段】
【０００８】
本発明の一態様における工作機械は、主軸台のチャックによって把持した工作物を回転させる工作物回転装置と、工具の割出しが可能なタレット装置と、前記主軸台または前記タレット装置を前記主軸台の回転軸と平行なＺ軸方向およびＺ軸方向に直交するＸ軸方向に移動させる駆動装置と、前記工作物回転装置、前記タレット装置および前記駆動装置を制御する制御装置とを有し、前記タレット装置は、加工個所に冷却液を供給するための流路が形成された工具台と、前記工具台をＸ軸方向に平行な回転軸の回転およびＸ軸方向に沿った移動を可能にした割出し機構とをもって構成され、前記回転軸の中空部に検出用ロッドが挿入され、前記検出用ロッドの一端部側が前記工具台の加工側表面部に固定され、前記検出用ロッドの他端部側が前記加工側表面部の反対側である非加工側に突き出し、前記非加工側には前記検出用ロッドのＸ軸方向の変位を検出する変位センサが設けられたものである。
【発明の効果】
【０００９】
本発明によれば、ワークの加工中に工具台の流路を通して加工箇所に冷却液が供給され、そのため工具にＸ軸方向の変位が生じたとしても、回転軸の中空部を通した検出用ロッドを介して、工具台の加工側表面部に生じた前記熱変形を反対側である非加工側において変位センサにより検出することができる。
【図面の簡単な説明】
【００１０】
【図１】工作機械の一実施形態を示した正面図である。
【図２】加工モジュールを示した側面図である。
【図３】タレット装置の加工時の状態を示した断面図である。
【図４】タレット装置の割出し時の状態を示した断面図である。
【発明を実施するための形態】
【００１１】
次に、本発明に係る工作機械の一実施形態について、図面を参照しながら以下に説明する。図１は、本実施形態の工作機械の正面図である。この工作機械１は、基礎となるベース２の上に搭載されている。しかも図面を貫く方向である機体前後方向に移動可能な状態で搭載されている。ベース２は、図示するように２台の工作機械１を搭載することが可能であり、その上面部には工作機械１の幅に合わせてレールが２本ずつ設けられている。なお、２台の工作機械１は同じ構造のＮＣ旋盤であり、外装カバー３によって覆われて外形形状や寸法が揃えられている。
【００１２】
工作機械１は、外装カバー３の内部に加工モジュールが搭載されている。図２は、その加工モジュールを示した側面図である。加工モジュール１０は、エンドミルやドリルなどの回転工具、或いはバイトなどの切削工具を備えるタレット旋盤である。そのため、加工モジュール１０は、ワークＷを掴んで保持するチャック２１を備えた主軸台１１、工具を備えたタレット装置１２、そのタレット装置１２をＺ軸やＸ軸に沿って移動させるＺ軸駆動装置１３やＸ軸駆動装置１４、そして各駆動装置を制御するための制御装置１５などを備えている。
【００１３】
加工モジュール１０は、ワークＷを回転させる主軸台１１の回転軸（主軸）が水平に設定されている。従って、Ｚ軸は主軸台１１の主軸と平行な水平軸である。一方、Ｘ軸はＺ軸に対して直交方向であり、タレット装置１２の工具をＺ軸に対して進退させる移動軸である。特に、工作機械１は、幅寸法を小さくするためＸ軸方向が鉛直な上下方向に設定されている。よって、工作機械１は、主軸台２に保持されたワークＷに対し、タレット装置１２の工具５５をＺ軸方向とＸ軸方向とに移動させる２軸旋盤である。なお、主軸に直交する工作機械１の幅方向がＹ軸方向である。
【００１４】
加工モジュール１０は、ベース２上のレール２０１に沿って移動できるように、車輪を備えた可動ベッド１７に搭載され、その可動ベッド１７には主軸台１１、Ｘ軸駆動装置１４及び制御装置１５などが固定されている。主軸台１１は、主軸がレール２０１と平行な水平軸であり、Ｚ軸方向が工作機械１の前後方向に設定されている。その主軸台１１は、回転自在に支持された主軸に対してチャック２１と従動プーリとが一体に形成され、主軸用サーボモータ１８の回転がＶベルトを介して伝達されるよう構成されている。
【００１５】
タレット装置１２は、Ｚ軸駆動装置１３のＺ軸スライド２５に対して一体的に構成され、そのＺ軸スライド２５とともにＸ軸スライド３２に搭載されている。Ｘ軸スライド３２にはＺ軸ガイド２６が固定され、Ｚ軸スライド２５がそのＺ軸ガイド２６に対して摺動自在に取り付けられている。そして、Ｚ軸スライド２５の移動には、Ｚ軸用サーボモータ２７の回転出力を直進運動に変換するボールネジ駆動方式が採用されている。すなわち、Ｚ軸ガイド２６に固定された支持フレームにネジ軸２８が軸受を介して取り付けられ、Ｚ軸スライド２５内に設けられた非回転のナットに螺合している。そして、Ｚ軸用サーボモータ２７の駆動によりネジ軸２８が回転し、その回転運動がナットの直線運動に変換され、Ｚ軸スライド２５がＺ軸方向に移動することになる。
【００１６】
Ｘ軸駆動装置１４は、主軸台１１の隣にコラム３１が固定され、主軸台１１側に形成されたガイドを介して、Ｘ軸スライド３２が上下方向に摺動自在に取り付けられている。そして、Ｘ軸スライド３２を鉛直方向に昇降させるため、Ｘ軸用サーボモータ３３の回転出力を昇降運動に変換するボールネジ駆動方式が採用されている。すなわち、コラム３１には、鉛直方向に配置されたネジ軸３３が回転可能に支持され、Ｘ軸スライド３２内に設けられた非回転のナットが螺合している。そして、Ｘ軸用サーボモータ３５の駆動によりネジ軸３３が回転し、その回転運動がナットの直線運動に変換され、Ｘ軸スライド３２がＸ軸方向に昇降することになる。
【００１７】
よって、以上のような構成の工作機械１では、先ずタレット装置１２の割出しにより工具５５が選択される。そして、チャック２１に保持されたワークＷに対して、Ｘ軸用サーボモータ３５が駆動してネジ軸３３が回転し、その回転運動がナットを介してＸ軸スライド３２の昇降運動に変換される。工具５５（切削工具）の先端がワークＷの加工個所の高さに揃うようにＸ軸方向の位置決め制御が行われる。次に、Ｚ軸用サーボモータ２７が駆動してネジ軸２８が回転し、その回転運動がナットを介してＺ軸スライド２５の水平な直線運動に変換される。そして、ワークＷは、主軸用サーボモータ２２の駆動によって回転し、そのワークＷに対して工具５５がＺ軸方向に位置制御され、外形切削などが行われる。
【００１８】
ところで、工作機械１は、従来と同様、加工中に様々な個所に熱変形が生じるため、それが加工精度の低下を引き起こしてしまう。よって、熱変形を考慮した駆動制御が必要になる。２軸旋盤である工作機械１では、工具５５が移動するＸ軸方向とＺ軸方向との駆動制御があるが、特にＸ軸方向の位置制御がワークＷの外形寸法に影響することになる。そのため、主軸の中心と工具５５先端との距離Ｈに生じるＸ軸方向の熱変位に対応した補正制御が重要である。しかしながら、その補正制御を行うに当たり、先ず加工精度に影響する熱変形の箇所がどこにあり、その熱変位を正確に計測することが困難であった。
【００１９】
前記特許文献１に記載の工作機械では、前述したように熱変形の箇所を特定することなくＸ軸方向の熱変位を計測する方法がとられている。しかし、タレット装置１２が２軸方向に移動する本実施形態では、同様の方法を実現しようとすれば、工具の基準位置を検出する計測装置を用意し、工具５５の変位を加工の度に計測するような構成が必要になる。それでは構成の追加によるコストアップだけではなく、加工の度に行う計測工程によって加工時間にロスが生じることになる。よって、新たな課題を生じさせることなく熱変形による加工精度の低下を解消するには、やはり熱変形の箇所をつきとめ、その熱変位を正確に計測することが必要であった。本実施形態の工作機械１はこうした課題を解決したものである。
【００２０】
ここで、図３及び図４は、タレット装置１２を示した断面図である。特に、図３は加工時の状態であり、図４は割出し時の状態である。このタレット装置１２は、Ｘ軸に平行な回転軸を中心にして旋回割出しが行われ、工具台４２に装着された複数の工具から任意の工具５５が選択されるものである。すなわち、タレット装置１２は、Ｚ軸スライド２５に対して装置本体４１が固定され、その装置本体４１に対して工具台４２が割出し機構を介して組み付けられている。その割出し機構は、装置本体４１に対して工具台４２のＸ軸方向の移動と回転とを可能にするものである。なお、図３及び図４には１つの工具５５しか記載されていないが、本来は複数の工具が装着されている。
【００２１】
工具台４２は、下方側（Ｘ軸方向）から見た場合に八角形をしたものであり、その外周側面部に工具５５を備えた複数の工具ブロック５６が装着される。工具台４２は、装置本体４１側である上面部の中央に凹部が形成され、そこに回転軸である中空シャフト４３が固定されている。中空シャフト４３は、下端のフランジ部４３１によって工具台４２にネジ止めされ、上方に延びたシャフト部４３２が装置本体４１の上面を突き抜けている。そして、シャフト部４３２には、装置本体４１の内部においてシャフトギヤ４４とピストンロッド４５が一体になって構成されている。
【００２２】
シャフトギヤ４４とピストンロッド４５は、中空部を中空シャフト４３によって貫通され、その中空シャフト４３に対し、上方から締め付けたナット４６によって固定されている。シャフトギヤ４４は、キーとキー溝との嵌め合いによって中空シャフト４３と一体になって回転するよう構成されている。一方、ピストンロッド４５は、中空シャフト４３やシャフトギヤ４４などとの間に軸受が設けられ、回転の伝達が遮断されて連れ回りしないよう構成されている。なお、装置本体４１には上方に割出し用モータ４７が固定され、その回転出力が不図示のアイドラギヤからシャフトギヤ４４及び中空シャフト４３へと伝達されるように構成されている。
【００２３】
装置本体４１は、上下方向（Ｘ軸方向）に貫通した中空部が形成され、その内部に、中空シャフト４３と一体になったシャフトギヤ４４やピストンロッド４５が収められている。ピストンロッド４５は、ピストン部４５１とロッド部４５２とを有し、装置本体４１と下カバー４８とによって形成されたシリンダ部に装填されている。ピストン部４５１の上方には加圧室４１５が形成され、供給される作動油によりピストンロッド４５が下方へと加圧される。一方、ピストンロッド４５は、下方側に開放した穴にバネ４９が挿入され、下カバー４８を支えにして常に上方へと付勢されている。従って、加圧室４１５へ作動油が供給された場合には、バネ４９を収縮させてピストンロッド４５が下降し、加圧室４１５から作動油が排出された場合には、バネ４９の付勢力によりピストンロッド４５が上昇する。
【００２４】
更に、タレット装置１２は、中空シャフト４３のフランジ部４３１と下カバー４８とにそれぞれにクラウンギヤ５１，５２が固定され、上下方向に噛み合うよう構成されている。そして、下側のクラウンギヤ５１が中空シャフト４３に伴って上下動するため、ワークＷの加工時には図３に示すように上昇したクラウンギヤ５１が上方のクラウンギヤ５２と噛み合い、中空シャフト４３及び工具台４２の回転が制限される。一方、工具の割出し時には、図４に示すようにクラウンギヤ５１が下降し、クラウンギヤ３８との噛み合いが解除され、工具台４２の回転が可能になる。
【００２５】
すなわち、作動油の供給によりピストンロッド４５を介して中空シャフト４３及び工具台４２が下降し、クラウンギヤ５１，５２の噛み合いが解除される。そこで、割出し用モータ４７の駆動によりシャフトギヤ４４を介して中空シャフト４３及び工具台４２が回転し、工具５５の割出しが行われる。その後、作動油が加圧室４１５から排出されると、バネ４９の付勢力によってピストンロッド４５が上昇し、再びクラウンギヤ５１，５２が噛み合い、工具台４２の回転が制限された加工状態へと戻る。
【００２６】
この工作機械１では、工具台４２を通してワークＷの加工箇所へとクーラントが供給される。工具台４２には、クーラントを通す流路４２１が形成され、装置本体４１の下カバー４８に固定された供給ノズル５３に接続される。また、工具台４２の流路４２１は、工具ブロック５６に形成された噴出口を有する流路５６１に接続されている。従って、ワークＷの加工中は、供給ノズル５３から供給されるクーラントが工具台４２や工具ブロック５６の流路４２１，５６１を通り、工具５５によるワークＷの加工箇所へと供給される。クーラントは、工作機械１内を流れ落ちてタンクへと回収され、フィルタを通して繰り返し使用される。
【００２７】
ところで、前述したように、工作機械１にも熱変位による加工精度の低下が生じていた。特に、ワークＷの径方向に相当するＸ軸方向の熱変位が問題であった。当初はそれが主軸台１１の回転部分なのか、Ｚ軸駆動装置１３やＸ軸駆動装置１４のスライド部分なのか、あるいはタレット装置１２なのかが分からず、様々な可能性についての検討が行われた。そして検討の結果、クーラントの温度上昇を原因として工具台４２に熱変形が生じていることが分かった。更に、その熱変形が工具台４２に生じていることを突き止めた。
【００２８】
工作機械１に供給されるクーラントは、作業の開始時点で工場内の環境温度に近い温度であるが、その後繰り返し使用されることにより温度が上昇してしまう。例えば２０℃程度であった温度が２３℃程度にまで上昇する。本願発明者は、このクーラントの温度上昇が工具台４２に熱膨張を引き起こし、加工精度を低下させる原因になっていることを突き止めた。しかも、工具台４２に生じる熱膨張の変化を詳細に検討した結果、熱膨張は、工具を直接取り付けた工具ブロック５６だけではなく、その工具ブロック５６が装着された工具台４２へも影響していることが分かった。そして、工具台４２の下面のＸ軸方向の変位が、工具５５のＸ軸方向の変位として置き換えられることを検証した。本実施形態では、このような検証結果を踏まえ、工具のＸ軸方向の変位量について計測する次のような構成が設けられている。
【００２９】
図３及び図４に示すように、工具台４２の下面に支持プレート６１がネジ止めされ、その支持プレート６１には中空シャフト４３の中空部に挿入された検出用ロッド６２が固定されている。検出用ロッド６２は、中空シャフト４３から上方に突き出し、その上端部には、検出対象となるドッグ６３が固定されている。検出用ロッド６２は熱の影響を受けないように熱伝導率の低いセラミックで形成されている。そして、検出用ロッド６２の軸方向変位はドッグ６３の変位によって検出されるが、その検出を行なうための変位センサ６５が装置本体４１の上部に固定されている。
【００３０】
変位センサ６５は、熱変形によるミクロン単位の変位検出が可能であるのに加え、前述した割出しに伴う工具台４２の下降も検出することができるものである。従って、タレット装置１２の割出しでは、ピストンロッド４５の作動によって工具台４２が下降位置にあることが検出され、回転可能状態を確認した後に割出し用モータ４７が駆動制御されることとなる。
【００３１】
そこで、工作機械１では、工具５５が駆動装置１３，１４の駆動により位置制御が行われ、主軸によって回転するワークＷに対して切削などの加工が行われる。ワークＷの加工は繰り返し行われ、その間、供給ノズル５３から工具台４２や工具ブロック５６の流路４２１，５６１へと送られたクーラントが加工箇所へと供給される。加工個所の熱を奪ったクーラントは機内を流れ落ちて回収され、濾過された後に再びポンプによって汲み上げられて加工箇所へと供給される。そして、次第にクーラントの温度が上昇し、その熱が工具台４２を熱膨張させ、工具５５先端の位置がＸ軸方向に変位してしまう。
【００３２】
工具台４２の熱膨張は、その下面に固定された支持プレート６１を変位させるため、その支持プレート６１に固定された検出用ロッド６２もＸ軸方向に変位することとなる。よって、タレット装置１２の下面側に生じた工具台４２の熱膨張による変位が、検出用ロッド６２を介してタレット装置１２の上部において現れる。そして、タレット装置１２の上部において、変位センサ６５によりドッグ６３の変位から熱膨張による工具５５のＸ軸方向変位が検出される。変位センサ６５による検出情報は制御装置１５へと送られ、制御装置１５では、検出された変位量に従いＸ軸方向の駆動に関して補正制御が行われる。
【００３３】
従って、本実施形態の工作機械１によれば、ワークＷの加工に大きく影響するＸ軸方向の変位を正確に計測して補正制御することができる。しかも、２軸方向に移動するタレット装置１２において変位を検出するようにしたことで、工具５５に対する変位を常に計測することが可能になり、加工精度を安定させることができる。また、工具台４２に検出用ロッド６２を固定する簡易な構成であるため、部品点数は極めて少なく、従来構造からの変更も必要がない点でコストを大幅に抑えられる。更に、変位センサ６５が熱膨張による変位を検出するだけではなく、タレット装置１２の割出しに対する動作確認にも使用できる点で低廉な構造である。
【００３４】
ところで、本実施形態では、ドッグ６３を使用してＸ軸方向の変位を検出しているため、変位センサ６５の設置が容易になっている。しかし、変位センサ６５が検出用ロッド６２を直接検出するようにしてもよい。また、本実施形態では、クーラントによる熱膨張の影響を検出しているものであるため、その影響が変位センサ６５によって正確に検出されることが望ましい。そこで、工具台４２の流路４２１には、工具ブロック５６とは反対側に奥部分４２１１が形成され、クーラントによる熱膨張変位が検出用ロッド６２に対して忠実に現れるようになっている。従って、工具５５に近い変位が検出用ロッド６２にも生じ、より正確な補正制御が可能になる。
【００３５】
以上、本発明の一実施形態について説明したが、本発明はこれに限定されるものではなく、その趣旨を逸脱しない範囲で様々な変更が可能である。
例えば、前記実施形態の工作機械１は、タレット装置１２が２軸方向に移動する構造であるが、特許文献１の工作機械のように、主軸台側が２軸方向に移動する構造であったり、主軸台とタレット装置とがそれぞれ移動する構造のものであってもよい。
また、前記実施形態では、検出用ロッド６２をセラミックで形成したが、熱膨張率の低い材料であれば、インバー合金、ガラス、液晶ポリマー等のプラスチック等でも良い。
【符号の説明】
【００３６】
１…工作機械  １０…加工モジュール  １１…主軸台  １２…タレット装置  １３…Ｚ軸駆動装置  １４…Ｘ軸駆動装置  １５…制御装置  ４１…装置本体  ４２…工具台  ４３…中空シャフト  ４４…シャフトギヤ  ４５…ピストンロッド  ４７…割出し用モータ  ５１，５２…クラウンギヤ  ５５…工具  ５６…工具ブロック  ５３…供給ノズル  ４２１，５６１…流路
【図１】
0006498702.tif 000002
【図２】
0006498702.tif 000003
【図３】
0006498702.tif 000004
【図４】
0006498702.tif 000005